(57)【要約】【課題】  データ端末装置から供給される電源により動作する無線通信端末及び無線通信端末用アダプタにおいてデータ端末装置との間で行われるデータ通信の通信速度を表示により容易に確認を可能とする【解決手段】  制御部２５は、データ端末装置３から通信データを受信すると、通信データのスタートビットを検出してビット幅（時間）から通信速度を測定し、測定した通信速度を表示部２３に表示する。【選択図】  図２
2009224824.tif 000002
【特許請求の範囲】
【請求項１】
データ端末装置から供給される電源により動作する無線通信端末であって、
基地局と無線により通信を行う無線通信手段と、
データ端末装置と接続する接続手段と、
データ端末装置から送信されるデータを接続手段を介して受信し、当該データの通信速度を測定する測定手段と、
測定手段により測定したデータ端末装置との通信速度を表示する表示手段と
を有することを特徴とする無線通信端末。
【請求項２】
データ端末装置との間で用いられる通信がシリアル通信であって、当該シリアル通信で用いられるデータの一部のビット幅を測定することより、通信速度を測定することを特徴とする請求項１記載の無線通信端末。
【請求項３】
データ端末装置から供給される電源により動作する無線通信端末用アダプタであって、
基地局と無線により通信を行う無線通通信モジュールと接続する第１の接続手段と、
データ端末装置と接続する第２の接続手段と、
データ端末装置から送信されるデータを第１の接続手段を介して受信し、当該データの通信速度を測定する測定手段と、
測定手段により測定したデータ端末装置との通信速度を表示する表示手段と
を有することを特徴とする無線通信端末用アダプタ。
【請求項４】
データ端末装置との間で用いられる通信がシリアル通信であって、当該シリアル通信で用いられるデータの一部のビット幅を測定することより、通信速度を測定することを特徴とする請求項３記載の無線通信端末用アダプタ。
【発明の詳細な説明】
【技術分野】
【０００１】
本発明は、データ端末装置と接続され、データ端末装置から供給される電源により動作する無線通信端末及び無線通信端末用アダプタに関し、特に、データ通信端末とのデータ通信の通信速度を表示する技術に関する。
【背景技術】
【０００２】
従来、外部機器に無線通信端末を接続し、当該無線通信端末を利用した無線通信により外部機器と他の機器とのデータ通信が行われている。
このような外部機器に接続される無線通信端末として、例えば、第二世代の無線通信機から第三世代の無線通信機へ置換えた場合に、無線通信機が接続されるデータ端末装置のソフトウェアを修正することなく、第三世代の無線通信機で的確に回線交換方式とパケット交換方式を判断して接続できる無線通信機の提供を実現するための発明が提案されている（特許文献１参照）。
【特許文献１】特開２００６−２２２４９１号公報
【０００３】
また、このようなデータ端末装置に接続される無線通信端末として、当該無線通信端末の電源と圏内と通信中の状態を表示するＬＥＤを２つ備え、２つのＬＥＤの点灯、消灯の発光態様の組み合せに対して異なる状態を対応付け、状態に応じてＬＥＤの発光態様を変更する無線通信端末が提案されている（特許文献２参照）。
【特許文献２】特開２００２−１６４８０７号公報
【発明の開示】
【発明が解決しようとする課題】
【０００４】
しかしながら、従来の無線通信端末では、無線通信端末をデータ端末装置に設置や保守等をする際に、設置・保守作業者は、通信速度の設定を確認する必要があるが、通信速度を容易に確認することができないという問題が生じる。
【０００５】
本発明は、上記従来の実情に鑑みなされたものであり、無線通信端末とデータ端末装置との間で行われるデータ通信の通信速度を表示により容易に確認できる無線通信端末及び無線通信端末等のアダプタを提供することを目的としている。
【課題を解決するための手段】
【０００６】
本発明は、データ端末装置から供給される電源により動作する無線通信端末であって、  基地局と無線により通信を行う無線通信手段と、データ端末装置と接続する接続手段と、  データ端末装置から送信されるデータを接続手段を介して受信し、当該データの通信速度を測定する測定手段と、測定手段により測定したデータ端末装置との通信速度を表示する表示手段と、を有することを特徴としている。
すなわち、本発明では、データ端末装置から送信されるデータから当該データの通信速度を測定することによりデータ端末装置との通信速度の検出が可能となり、この測定した通信速度を表示手段に表示することができる。
【０００７】
ここで、無線通信端末とデータ端末装置との間で用いられる通信がシリアル通信であって、当該シリアル通信で用いられるデータの一部のビット幅を測定することより、通信速度を測定することが好ましい。
これにより、シリアル通信で用いられるデータの一部のビット幅から通信速度を測定することで、データ端末装置との通信速度を表示することが可能となる。
また、シリアル通信で用いられるデータの一部としては、データのスタートビットとすることが好ましい。
【０００８】
また、本発明は、データ端末装置から供給される電源により動作する無線通信端末用アダプタであって、基地局と無線により通信を行う無線通通信モジュールと接続する第１の接続手段と、データ端末装置と接続する第２の接続手段と、データ端末装置から送信されるデータを第１の接続手段を介して受信し、当該データの通信速度を測定する測定手段と、測定手段により測定したデータ端末装置との通信速度を表示する表示手段と、を有することを特徴としている。
すなわち、本発明では、データ端末装置から送信されるデータから当該データの通信速度を計測することによりデータ端末装置との通信速度の検出が可能となり、この測定した通信速度を表示手段に表示することができる。
【０００９】
ここで、無線通信端末用アダプタとデータ端末装置との間で用いられる通信がシリアル通信であって、当該シリアル通信で用いられるデータの一部のビット幅を測定することより、通信速度を測定することが好ましい。
これにより、シリアル通信で用いられるデータの一部のビット幅から通信速度を測定することで、データ端末装置との通信速度を表示することが可能となる。
また、シリアル通信で用いられるデータの一部としては、データのスタートビットとすることが好ましい。
【発明の効果】
【００１０】
本発明によると、無線通信端末又は無線通信端末用アダプタとデータ端末装置との間で行われるデータ通信の通信速度を測定して、この測定結果により、通信速度を表示することができる。
【発明を実施するための最良の形態】
【００１１】
以下に、本発明の実施の形態について図面を参照して詳細に説明する。
図１は、本発明に係る無線通信端末を用いて構成される無線通信システムの一例を概略的に示している。
【００１２】
本例の無線通信システムでは、データ端末装置３に無線通信端末１が接続され、データ端末装置３から出力されるデータは、無線通信端末１により無線通信方式（例えば、Ｗ−ＣＤＭＡ方式やＣＤＭＡ方式等）に用いられるデータに変換されて無線信号で基地局４に送信し、基地局４、交換機５及び通信網６を介してサーバ７へ送信される。
また、サーバ７から出力されるデータは、上記と逆の順で無線通信端末１に送信され、無線通信端末２で、データ端末装置３で用いられるデータに変換して、データ端末装置３で受信される。
【００１３】
ここで、上記無線通信システムの適用例を説明する。例えば、一例として、データ端末装置３が自動販売機とし、サーバ７が自動販売機を管理する管理会社等の企業内のＬＡＮ等に接続されて設置されているとする。そして、自動販売機を管理するために、サーバ７から在庫等を確認するためのデータが出力されると、通信網６、交換機５、基地局４及び無線通信端末１を介して、当該無線通信端末１に接続される自動販売機であるデータ端末装置３にサーバ７が出力したデータが受信される。
【００１４】
在庫等を確認するためのデータを受信した自動販売機であるデータ端末装置３は、自動販売機内の例えば、飲料やタバコ等の在庫等を確認して、その結果のデータを無線通信端末３に出力し、無線通信端末１から基地局４交換機５及び通信網６を介して自動販売機を管理する管理会社のサーバ７に受信される。
このようにして、管理会社等のサーバ６が、自動販売機等のデータ端末装置１を遠隔で管理することが可能となる。
【実施例１】
【００１５】
図２は、実施例１に係る無線通信端末１及びデータ端末装置３の機能ブロック部を例示している。
無線通信端末１は、外部電源としてのデータ端末装置３から電力供給を受けて動作しており、無線信号を送受信するアンテナ１１と、通信データを無線通信方式に用いられる無線信号に変換してアンテナ１１により送信及び基地局から送信される無線信号をアンテナ１１を介して受信し当該無線信号を通信データに変換する無線通信モジュール１２と、後述する携帯無線端末用アダプタ２とを備えている。
なお、上記の無線通信モジュール１２とは、無線通信端末１の無線通信手段として用いられるものである。
【００１６】
携帯無線端末用アダプタ２（以下、「単にアダプタ」）は、無線モジュール１２とデータ端末装置３とを接続するためのインターフェースを備え、無線モジュール１２からのデータをデータ端末装置３へ出力する機能と、データ端末装置３からのデータを無線モジュール１２へ出力する機能を備えるものである。
【００１７】
アダプタ２は、データ端末装置３から電力を受けて動作しており、無線通信モジュール１２との間でデータ通信を行うためのインターフェース２１と、プログラムや受信したデータ等を記憶する記憶部２２と、携帯無線端末装置の状態を表示する表示部２３と、データ端末装置と接続してデータ端末装置の入出力部３２との間でデータ通信を行う入出力部２４と、各機能部２１〜２４の動作を制御する制御部２５とを備えている。
【００１８】
アダプタ２の表示部２３は、電源が投入されていることを示す表示、圏内／圏外であることを示す表示、受信電界強度を示す表示、通信中であることを示す表示、データ端末装置との通信速度を示す複数のＬＥＤで構成される。
【００１９】
データ端末装置３は、無線通信端末１（アダプタ２）に動作電力を供給する電源３１と、アダプタ２と接続しアダプタ２の入出力部２４との間でデータ通信を行う入出力部３２と、プログラムや受信したデータを記憶する記憶部３３と、データを表示するために表示部３４と、利用者からの操作指示を受け付けるためのボタンやタッチパネル等の操作部３５と、各機能部３２〜３５の動作を制御する制御部３６とを備えている。
【００２０】
本実施例では、無線通信端末１とデータ端末装置３との接続手段（接続インターフェース）としてＲＳ−２３２Ｃを用いているが、ＵＳＢ（Ｕｎｉｖｅｒｓａｌ  Ｓｅｒｉａｌ  Ｂｕｓ）等の他のインターフェースを用いてもよい。また、無線通信端末１とデータ端末装置３との間でのデータ通信はシリアル通信を用いている。
本実施例のシリアル通信で用いられる通信データは、スタートビット、データビット、パリティビット及びストップビットで構成されている。
【００２１】
アダプタ２がデータ端末装置３の通信速度を測定する際の動作について説明する。
アダプタ２は、データ端末装置３から電源が供給されて、動作可能状態となると、データ端末装置３からの通信データの受信待ちとなる。そして、データ端末装置３の入出力部３２から通信データが出力されると、アダプタ２の入出力部２４に当該通信データが入力されることとなる。制御部２５は、アダプタ２の入出力部２４に入力された通信データのスタートビットを検出し、この検出したスタートビットのビット幅（時間）を測定する。この測定したビット幅（時間）がアダプタ２とデータ端末装置３との間で通信される通信データの通信速度となる。
【００２２】
例えば、スタートビットの幅（時間）が約１０４μ秒であったとすると、1秒当たりに送信できるデータ量は９６００ビットである。すなわち通信速度は９６００ｂｐｓ（Ｂｉｔｓ  Ｐｅｒ  Ｓｅｃｏｎｄ）であることが測定される。
なお、本実施例では、通信速度として、１２００ｂｐｓ、４８００ｂｐｓ、９６００ｂｐｓ、１９２００ｂｐｓ、５７６００ｂｐｓ、１１５２００ｂｐｓ、２３０４００ｂｐｓ、４６０８００ｂｐｓの８種類が用いられ、そのうち、特に、無線通信端末１とデータ端末装置との間でのデータ通信では、９６００ｂｐｓ、１９２００ｂｐｓ、５７６００ｂｐｓが良く用いられる。
【００２３】
そして、制御部２５は、測定した通信速度で通信が行えるように内部設定を行い、以後無線通信端末１（アダプタ２）とデータ端末装置３との間で、測定した通信速度でシリアル通信が行われる。また、制御部２５は、測定した通信速度に対応する表示部２３のＬＥＤを点灯する。
【００２４】
図３は、本発明に係る無線通信端末１（アダプタ２）の表示部２３の構成を示している。
表示部２３は、複数のＬＥＤで構成され、電源のＯＮ／ＯＦＦを表示するための電源ＬＥＤ２３０と、圏内／圏外を表示するための圏内ＬＥＤ２３１と、無線通信端末１の電界強度を表示する電界強度ＬＥＤ２３２〜２３４と、無線通信端末１が通信中であることを示す通信中ＬＥＤ２３５と、データ端末装置とのデータの通信速度を表示する４つの通信速度ＬＥＤ２３６〜２３９で構成されている。
【００２５】
電源ＬＥＤ２３０は、データ端末装置３からの電源が供給されて無線通信端末１（アダプタ２）が動作可能となると点灯し、データ端末装置３から電源が供給されていないときには消灯するものである。圏内ＬＥＤ２３１は、無線モジュール１２により基地局４と通信が可能な状態のときに点灯し、通信が不可能なときには消灯するものである。電界強度ＬＥＤ２３２〜２３４は、無線通信モジュール１２で基地局からの無線信号を受信して電界強度を測定し、その測定結果に応じて点灯あるいは消灯するものである。通信中ＬＥＤ２３５は、無線通信端末１（アダプタ２）が通信中のときに点灯するものである。
【００２６】
本実施例の特徴である通信速度ＬＥＤ２３６〜２３９は、９６００ｂｐｓ（９．６ｋ）の通信速度を示すＬＥＤ２３６、１９２００ｂｐｓ（１９．２ｋ）の通信速度を示すＬＥＤ２３７、５７６００（５７．６ｋ）の通信速度を示すＬＥＤ２３８と、その他の通信速度を示すＬＥＤ２３９で構成され、それぞれのＬＥＤ近傍に通信速度を表す表示がなされている。
【００２７】
上述したように、無線通信端末１（アダプタ２）の制御部２５で、データ端末装置３からの通信データのスタートビットを検出して通信速度を測定すると、測定結果に応じて通信速度ＬＥＤ２３６〜２３９の何れかが点灯することとなる。
以上の説明では、データ通信の通信速度として良く使用される９６００ｂｐｓ（９．６ｋ）の通信速度ＬＥＤ２３６、１９２００ｂｐｓ（１９．２ｋ）の通信速度ＬＥＤ２３７、５７６００（５７．６ｋ）の通信速度ＬＥＤ２３８とその他の通信速度ＬＥＤ２３９の４種類で説明したが、これに限らず、無線通信端末１とデータ端末装置で用いられる複数の通信速度の種類それぞれに対応するＬＥＤを用いても構わない。
【００２８】
したがって、設置・作業者等は、点灯している通信速度ＬＥＤを確認することで現在設定されている無線通信端末１とデータ端末装置間での通信速度を容易に確認することが可能となる。
また、データ端末装置からの通信データのスタートビットから通信速度を自動的に測定することから、設置・保守時の通信速度の設定誤りを防止することも可能となる。
【実施例２】
【００２９】
図４は、本例の実施例２に係る無線通信端末８の機能ブロック部を例示している。
本例では、実施例１との相違点としてアダプタ９に操作部９０を設けた点であり、記憶部９２及び制御部９５の構成が異なる。それ以外の構成は実施例１と同一であるため、説明を省略する。
操作部９０は、例えば、複数のＤＩＰスイッチで構成され、無線通信端末８（アダプタ９）とデータ端末装置３とのデータ通信の通信速度を設定するためのスイッチである。
【００３０】
また、記憶部９２は、上記スイッチと通信速度との対応関係を記憶するものであり、制御部９５は、操作部９０のスイッチの状態に基づいて、記憶部９２に記憶されたスイッチと通信速度との対応関係を参照して、通信速度を検出して、表示部２３のＬＥＤ２３７〜２３９（図３）の点灯を制御する。
【００３１】
図５は、記憶部９２に記憶される通信速度とスイッチとの対応関係を記憶するテーブルである。
図５に示すように、テーブルにはスイッチ１〜３と通信速度との対応関係として、ＤＩＰスイッチ等の３つのスイッチのＯＮ／ＯＦＦの組み合せと１２００ｂｐｓ〜４６０８００ｂｐｓの８種類の通信速度を記憶している。
例えば、スイッチ１がＯＦＦ、スイッチ２がＯＦＦ、スイッチ３がＯＮの場合には通信速度が１２００ｂｐｓであり、全てのスイッチがＯＮの場合には通信速度が１９２００ｂｐｓであり、全てのスイッチがＯＦＦの場合には通信速度が５７６００ｂｐｓであり、スイッチ１がＯＮ、スイッチ２がＯＮ、スイッチ３がＯＦＦの場合には通信速度が４６０８００ｂｐｓとなる。このように、３つのスイッチの組み合せにより、８種類の通信速度の設定が可能となる。
【００３２】
次に、本実施例の制御部９５の動作について説明する。
操作部９０の３つのスイッチにより、通信速度が設定されると、制御部９５は、それぞれのスイッチのＯＮ／ＯＦＦ状態を検出し、記憶部９２のテーブルを参照して、設定された通信速度を決定し、決定した通信速度で通信が行えるように内部設定を行い、以後無線通信端末８（アダプタ９）とデータ端末装置３との間で、決定した通信速度でシリアル通信が行われ、決定した通信速度に対応する表示部２３のＬＥＤ２３６〜２３９のいずれかを点灯する。
【００３３】
以上のように、本実施例では、スイッチにより通信速度の設定が行われると、記憶部に記憶されているスイッチと通信速度との対応関係により、通信速度の決定が行われ、決定された通信速度に対応するＬＥＤを点灯するように構成されているため、設置・作業者等は、点灯している通信速度ＬＥＤを確認することで現在設定されている無線通信端末とデータ端末装置間での通信速度を容易に確認することが可能となる。
【図面の簡単な説明】
【００３４】
【図１】本発明の一実施形態に係る無線通信システムを概略的に示す図である。
【図２】本発明の実施例１に係る無線通信端末の機能ブロック図である
【図３】本発明の一実施形態に係る無線通信端末の表示部の構成を示す図である。
【図４】本発明の実施例２に係る無線通信端末の機能ブロック図である。
【図５】本発明の一実施形態に係る無線通信端末のスイッチと通信速度との対応関係を記憶するテーブルである。
【符号の説明】
【００３５】
１、８・・・無線通信端末、２、９・・・無線通信端末用アダプタ、３・・・データ端末装置、４・・・基地局、５・・・交換機、６・・・通信網、７・・・サーバ、１１・・・アンテナ、１２・・・無線通信モジュール、２１・・・インターフェース、２２・・・記憶部、２３・・・表示部、２４・・・入出力部、２５・・・制御部、３１・・・電源、３２・・・入出力部、３３・・・記憶部、３４・・・表示部、３５・・・操作部、３６・・・制御部、９０・・・操作部、９２・・・記憶部、９５・・・制御部
【図１】
2009224824.tif 000003
【図２】
2009224824.tif 000004
【図３】
2009224824.tif 000005
【図４】
2009224824.tif 000006
【図５】
2009224824.tif 000007